(57)【要約】【課題】法令が施行された場合に、その法令に対応した操作メニューへ直ちに、しかも簡単に変更できる移動体用表示装置を提供する。【解決手段】移動体に搭載された機器の機能を選択して動作させるための操作メニューを表示する移動体用表示装置において、移動している時の操作メニューを規定する設定値と移動していない時の操作メニューを規定する設定値が格納されたテーブル２３と、テーブルに格納する設定値を入力する入力部２１と、入力部から入力された設定値によってテーブルに格納されている設定値を変更する操作メニュー変更部２４と、移動の有無を判断する移動状態判断部２５と、移動状態判断部により判断された移動の有無に応じて、テーブルに格納されている移動している時の操作メニューと移動していない時の操作メニューとを切り替えて表示させる表示切替部２６を備えている。【選択図】図２
2010261887.tif 000002
【特許請求の範囲】
【請求項１】
移動体に搭載された機器の機能を選択して動作させるための操作メニューを表示する移動体用表示装置において、
移動している時の操作メニューを規定する設定値と移動していない時の操作メニューを規定する設定値が格納されたテーブルと、
前記テーブルに格納する設定値を入力する入力部と、
前記入力部から入力された設定値によって前記テーブルに格納されている設定値を変更する操作メニュー変更部と、
移動の有無を判断する移動状態判断部と、
前記移動状態判断部により判断された移動の有無に応じて、前記操作メニュー変更部で変更された前記テーブルに格納されている、移動している時の操作メニューと移動していない時の操作メニューとを切り替えて表示させる表示切替部
とを備えた移動体用表示装置。
【請求項２】
入力部は、所定の操作がなされた場合にのみ、テーブルに格納する設定値を入力する
ことを特徴とする請求項１記載の移動体用表示装置。
【請求項３】
外部からの情報を受信する通信部を備え、
操作メニュー変更部は、前記通信部で受信された情報によって示される設定値によってテーブルに格納されている設定値を変更する
ことを特徴とする請求項１記載の移動体用表示装置。
【請求項４】
テーブルに設定される設定値は、操作回数、操作時間、文字数およびボタンマスクの有無の少なくとも１つである
ことを特徴とする請求項１記載の移動体用表示装置。
【発明の詳細な説明】
【技術分野】
【０００１】
本発明は、例えばナビゲーション装置などの移動体に備えられてユーザに種々の情報を提示する移動体用表示装置に関し、特に移動中の操作を制限する技術に関する。
【背景技術】
【０００２】
昨今、交通事故の増加を抑止するために、交通法規による規制が強化されている。例えば、車両運転中の携帯電話の操作禁止について法令化されている。このような法令が施行された場合、本来であれば、施行と同時に、移動体の表示装置も法令に対応する必要があるが、法令が施行されてからしばらく経った後に、その法令に対応した製品の発売またはサービスなどが開始されるケースも多い。また、法令に対応した製品の発売またはサービスを直ちに開始できないために、法令の施行時期を遅らせる場合もある。
【０００３】
このような事態に対処する技術として、特許文献１は、運転負荷が変化する場合であっても効率的な操作メニューに対する操作を実現できる車両用表示制御装置を開示している。この車両用表示制御装置は、予めメニュー構造変更・保存部に、第１メニュー情報、および、この第１メニュー情報に対して階層数を制限した第２メニュー情報を記憶しておき、車両に搭載された機器により処理する機能を選択させるに際して、各機能に対応したメニュー項目からなる操作メニューを表示装置に表示して、各機能の選択を促す。表示制御装置では、操作入力装置が車両に乗車するユーザにより操作されると、操作入力判断部によりユーザの操作能力を判定し、表示メニュー作成部により操作メニューを表示制御するに際して、走行状況判断部にて判断された運転負荷に応じて第１メニュー情報を用いた操作メニュー表示処理から、第２メニュー情報を用いた操作メニュー表示処理に移行するタイミングをユーザの操作能力に基づいて決定する。
【０００４】
すなわち、特許文献１に開示された、ハンドル操作量に応じて走行操作制限のメニューを切り替える方法は、運転時の極めて危険な場合と少し危険な場合とを検出し、後者の場合、あらかじめ保持している第２メニュー、つまり、ユーザ操作が緩和された所定の走行操作制限メニューに切り替える。
【先行技術文献】
【特許文献】
【０００５】
【特許文献１】特開２００４−２５１７５６号公報
【発明の概要】
【発明が解決しようとする課題】
【０００６】
しかしながら、上述した従来の技術では、例えば、ナビゲーション装置のユーザ操作は、走行中は最大２回に制限するといった法令が施行されたとしても、そのナビゲーション装置を法令に対応したものへ直ちに変更できない。
【０００７】
この発明は、上述した問題を解消するためになされたものであり、その課題は、法令が施行された場合に、その法令に対応した操作メニューへ直ちに、しかも簡単に変更できる移動体用表示装置を提供することにある。
【課題を解決するための手段】
【０００８】
この発明は、上記課題を解決するために、移動体に搭載された機器の機能を選択して動作させるための操作メニューを表示する移動体用表示装置において、移動している時の操作メニューを規定する設定値と移動していない時の操作メニューを規定する設定値が格納されたテーブルと、テーブルに格納する設定値を入力する入力部と、入力部から入力された設定値によってテーブルに格納されている設定値を変更する操作メニュー変更部と、移動の有無を判断する移動状態判断部と、移動状態判断部により判断された移動の有無に応じて、操作メニュー変更部で変更されたテーブルに格納されている、移動している時の操作メニューと移動していない時の操作メニューとを切り替えて表示させる表示切替部を備えている。
【発明の効果】
【０００９】
この発明によれば、任意のタイミングで操作回数または操作時間などに対応する操作メニューへ変更することができる操作メニュー変更部を備えているので、法令が施行された場合に、その法令に対応した操作メニューへ直ちに、しかも簡単に変更できる。
【図面の簡単な説明】
【００１０】
【図１】この発明の実施の形態１に係る移動体用表示装置のハードウェア構成を示すブロック図である。
【図２】この発明の実施の形態１に係る移動体用表示装置に含まれるＥＣＵの機能的な構成を示すブロック図である。
【図３】この発明の実施の形態１に係る移動体用表示装置で使用される設定値テーブルの例を示す図である。
【図４】この発明の実施の形態１に係る移動体用表示装置の動作を示すフローチャートである。
【図５】この発明の実施の形態１に係る移動体用表示装置において、移動体が移動していない時の画面の遷移例を示す図である。
【図６】この発明の実施の形態１に係る移動体用表示装置において、移動体が移動しており、操作回数が３回に設定されている場合の画面の遷移例を示す図である。
【図７】この発明の実施の形態１に係る移動体用表示装置移動体が移動しており、操作時間が１０秒に設定されている場合の画面の遷移例を示す図である。
【図８】この発明の実施の形態１に係る移動体用表示装置において、文字数が１文字に制限されている状態で移動体が移動していない状態から移動している状態に移った場合の画面の変化例を示す図である。
【図９】この発明の実施の形態１に係る移動体用表示装置において、ボタン１がマスクされている状態で移動体が移動していない状態から移動している状態に移った場合の画面の変化例を示す図である。
【発明を実施するための形態】
【００１１】
実施の形態１．
図１は、この発明の実施の形態１に係る移動体用表示装置のハードウェア構成を示すブロック図である。この移動体用表示装置は、ドライブ１、ＧＰＳ（Global Positioning System）受信機２、ジャイロ３、車速センサ４、操作部５、通信機器（携帯電話）６、インタフェース回路７、ＥＣＵ（Electronic Control Unit；電子制御装置）８、メモリ９、ディスプレイ１０およびスピーカ１１を備えている。
【００１２】
ドライブ１は、記録媒体１ａに記憶されている地図データを読み出し、インタフェース回路７を介してＥＣＵ８に送る。記録媒体１ａとしては、例えばＤＶＤ（Digital Versatile Disk）またはハードディスク（Hard disk）などを用いることができる。
【００１３】
ＧＰＳ受信機２は、自己の現在位置を検出する。このＧＰＳ受信機２で検出された現在位置（絶対位置および絶対方位を含む）は、現在位置データとして、インタフェース回路７を介してＥＣＵ８に送られる。ジャイロ３は、車両の旋回時の角速度を検出する。このジャイロ３で検出された角速度は、角速度データとして、インタフェース回路７を介してＥＣＵ８に送られる。車速センサ４は、車両が所定距離走行する毎に送られてくる車速信号に基づき、該車両の移動速度を検出する。この車速センサ４で検出された移動速度は、速度データとして、インタフェース回路７を介してＥＣＵ８に送られる。
【００１４】
操作部５は、ユーザの操作を受付けるためのリモートコントローラ、ボタンまたはタッチパネルなどから構成されている。この操作部５が操作されることによって入力された情報は、操作データとして、インタフェース回路７を介してＥＣＵ８に送られる。
【００１５】
通信機器６は、例えば携帯電話から構成されており、外部とのデータ通信を行うために使用される。すなわち、通信機器６は、外部から通信データを受信し、インタフェース回路７を介してＥＣＵ８に送るとともに、ＥＣＵ８からインタフェース回路７を介して送られてくる通信データを外部に送信する。
【００１６】
インタフェース回路７は、ドライブ１から読み出された地図データ、ＧＰＳ受信機２から送られてきた現在位置データ、ジャイロ３から送られてくる角速度データおよび車速センサ４から送られてくる速度データをＥＣＵ８に送るための制御を行う。また、インタフェース回路７は、ＥＣＵ８と通信機器６との間のデータの送受を制御する。
【００１７】
ＥＣＵ８は、例えばマイクロコンピュータから構成されており、インタフェース回路７から送られてくる地図データ、現在位置データ、角速度データ、速度データ、通信データおよび操作データを受け取ってメモリ８に書き込むとともに、これらのデータをメモリ８から読み出し、この読み出したデータを用いて各種処理を実行する。このＥＣＵ８によって実現される機能の詳細は後述する。
【００１８】
ディスプレイ１０は、例えばＬＣＤ（Liquid Crystal Display）から構成されており、ＥＣＵ８から送られてくる表示データにしたがって、地図、最適経路、自車マーク、交差点案内メッセージ、メニュー画面などを表示する。スピーカ１１は、ＥＣＵ８から送られてくる音声データにしたがって、ディスプレイ１０に表示されるメッセージまたは該メッセージに関連するメッセージを音声で出力する。
【００１９】
次に、ＥＣＵ８によって実現される機能の詳細を説明する。図２は、ＥＣＵ８の機能的な構成を示すブロック図である。このＥＣＵ８は、マイクロコンピュータのソフトウェア処理によって実現された入力部２１、通信部２２、テーブル２３、操作メニュー変更部２４、移動状態判断部２５および表示切替部２６を備えている。
【００２０】
入力部２１は、操作部５からインタフェース回路７を介して送られてくる操作データを取得し、操作メニュー変更部２４に送る。操作データには、テーブル２３に格納する設定値が含まれる。
【００２１】
通信部２２は、通信機器６からインタフェース回路７を介して送られてくる通信データを取得し、操作メニュー変更部２４に送る。通信データには、テーブル２３に格納する設定値が含まれる。この通信部２２は、メーカーからの設定値を取得するように構成できる。この構成により、テーブル２３の内容が無制限に変更されるのを防止し、メーカーのみが変更できるようにすることができる。
【００２２】
テーブル２３は、図３に示すように、移動体が移動している時の操作メニューを規定する複数の項目の設定値と移動していない時の操作メニューを規定する複数の項目の設定値を格納している。図３に示す例では、移動体が移動していない時の操作メニューの項目として、操作回数、操作時間、文字数、ボタン１、ボタン２、ボタン・・・を有し、設定値として、無制限、無制限、無制限、マスク無し、マスク無し、・・・がそれぞれ設定されている。同様に、移動体が移動している時の操作メニューの項目として、上記と同様の操作回数、操作時間、文字数、ボタン１、ボタン２、ボタン・・・を有し、設定値として、３回、１０秒、１文字、マスク無し、マスク有り、・・・がそれぞれ設定されている。なお、マスク有りとは、マスクされて操作できないボタンの意味である。
【００２３】
操作メニュー変更部２４は、入力部２１から送られてきた操作データによって示される設定値または通信部２２から送られてきた通信データによって示される設定値によって、テーブル２３に格納されている設定値を変更する。また、操作メニュー変更部２４は、テーブル２３に格納されているデータを読み出して表示切替部２６に送る。
【００２４】
移動状態判断部２５は、車速センサ４からインタフェース回路７を介して送られてくる車速データを取得し、当該移動体用表示装置が搭載されている移動体が移動しているかどうかを判断する。この移動状態判断部２５における判断結果は、表示切替部２６に送られる。
【００２５】
表示切替部２６は、移動状態判断部２５により判断された移動の有無に応じて、操作メニュー変更部２４を経由して取得したテーブル２３に格納されている移動している時の操作メニューと移動していない時の操作メニューとを切り替えて表示データを生成し、ディスプレイ１０に送る。これにより、ディスプレイ１０に移動している時または移動していない時の操作メニューが表示される。
【００２６】
次に、上記のように構成される、この発明の実施の形態１に係る移動体用表示装置の動作を、図４に示すフローチャートを参照しながら説明する。
【００２７】
まず、設定値が入力されたかどうかが調べられる（ステップＳＴ１１）。すなわち、入力部２１は、操作部５から設定値が入力されたかどうかを調べる。このステップＳＴ１１において、設定値が入力されたことが判断されると、設定値が操作メニュー変更部２４に送られた後に、シーケンスはステップＳＴ１３に進む。
【００２８】
一方、上記ステップＳＴ１１において、設定値が入力されていないことが判断されると、次いで、設定値が受信されたかどうかが調べられる（ステップＳＴ１２）。すなわち、通信部２２は、外部から設定値が送信されてきたかどうかを調べる。このステップＳＴ１２において、設定値が受信されていないことが判断されると、シーケンスはステップＳＴ１４に進む。一方、ステップＳＴ１２において、設定値が受信されたことが判断されると、設定値が操作メニュー変更部２４に送られた後に、シーケンスはステップＳＴ１３に進む。
【００２９】
ステップＳＴ１３においては、テーブルの内容が変更される。すなわち、操作メニュー変更部２４は、ステップＳＴ１１、またはステップＳＴ１２において、通信部２２から送られてきた設定値を用いて、テーブル２３に格納されている設定値を変更する。その後シーケンスはステップＳＴ１４に進む。
【００３０】
ステップＳＴ１４においては、移動しているかどうかが調べられる。すなわち、移動状態判断部２５は、車速センサ４からインタフェース回路７を介して送られてくる車速データを取得し、当該移動体用表示装置が搭載されている移動体が移動しているかどうかを判断する。
【００３１】
このステップＳＴ１４において、移動していないことが判断されると、移動していない時の操作メニューの設定値が取得される（ステップＳＴ１５）。すなわち、操作メニュー変更部２４は、テーブル２３に格納されている移動していない時の操作メニューの設定値を読み出し、表示切替部２６に送る。その後、シーケンスはステップＳＴ１７に進む。
【００３２】
一方、上記ステップＳＴ１４において、移動していることが判断されると、移動している時の操作メニューの設定値が取得される（ステップＳＴ１６）。すなわち、操作メニュー変更部２４は、テーブル２３に格納されている移動している時の操作メニューの設定値を読み出し、表示切替部２６に送る。その後、シーケンスはステップＳＴ１７に進む。
【００３３】
ステップＳＴ１７においては、操作メニューが表示される。すなわち、表示切替部２６は、移動状態判断部２５により判断された移動の有無に応じて、操作メニュー変更部２４を経由して取得したテーブル２３に格納されている移動している時の操作メニューの設定値または移動していない時の操作メニューの設定値に基づき表示データを生成し、ディスプレイ１０に送る。これにより、ディスプレイ１０に移動している時または移動していない時の操作メニューが表示される。
【００３４】
次に、上述した処理によってディスプレイ１０に表示される幾つかの画面例を説明する。図５は、移動体が移動していない時の画面の遷移例を示す図であり、テーブル２３上では操作回数は無制限に設定されている。図５（ａ）に示す画面で目的地／ルート設定操作がなされると、図５（ｂ）に示す画面に遷移する。次いで、図５（ｂ）に示す画面で施設ジャンルが選択されると、図５（ｃ）に示す画面に遷移する。次いで、図５（ｃ）に示す画面で遊園地が選択されると、図５（ｄ）に示す画面に遷移する。次いで、図５（ｄ）に示す画面で大阪府が選択されると、図５（ｅ）に示す画面に遷移する。ユーザは、この図５（ｅ）に示す画面上で、目的地として設定する施設を選択する。この図５は、移動体が移動していない時は、４回の画面遷移が行われた例を示している。
【００３５】
図６は、移動体が移動している時の画面の遷移例を示す図であり、テーブル２３上では操作回数は３回に設定されている場合の例である。図６（ａ）に示す画面で目的地／ルート設定操作がなされると、図６（ｂ）に示す画面に遷移する。次いで、図６（ｂ）に示す画面で施設ジャンルが選択されると、図６（ｃ）に示す画面に遷移する。次いで、図６（ｃ）に示す画面で遊園地が選択されると、図５（ｄ）に示す画面に遷移する。この時点で操作回数が「３」に達する。したがって、以降は、初期画面またはデフォルト画面への遷移以外の操作は無効になる。
【００３６】
図７は、移動体が移動している時の画面の遷移例を示す図であり、テーブル２３上では操作時間は１０秒に設定されている場合の例である。図７（ａ）に示す画面で目的地／ルート設定操作がなされると、操作開始後３秒が経過したら図７（ｂ）に示す画面に遷移する。次いで、図７（ｂ）に示す画面で施設ジャンルが選択されると、操作開始後６秒が経過したら図６（ｃ）に示す画面に遷移する。以後は、操作開始後１０秒を超えるため、以降は、初期画面またはデフォルト画面への遷移以外の操作は無効になる。
【００３７】
図８は、移動体が移動していない状態から移動している状態に移った場合の画面の変化例を示す図であり、テーブル２３上では文字数は１文字に設定されている。図８（ａ）に示す目的地として設定する施設を選択する画面では、移動体が移動していない状態では施設の完全な施設名称が表示されるが、移動体が移動している状態に移ると、施設名称の先頭の１文字のみが表示される。
【００３８】
図９は、移動体が移動していない状態から移動している状態に移った場合の画面の変化例を示す図であり、テーブル２３上ではボタン１はマスク無し、ボタン２以降はマスク有りに設定されている。図９（ａ）に示す目的地として設定する施設を選択する画面では、移動体が移動していない状態では施設の完全な施設名称が表示されるが、移動体が移動している状態に移ると、最初のボタンであるボタン１のお施設名称の先頭の１文字のみが表示される。
【００３９】
以上説明したように、この発明の実施の形態１に係る移動体用表示装置によれば、任意のタイミングで操作回数または操作時間などに対応する操作メニューへ変更することができる操作メニュー変更部２４を備えているので、法令が施行された場合に、その法令に対応した操作メニューへ直ちに、しかも簡単に変更できる。
【００４０】
なお、上述した実施の形態１に係る移動体用表示装置では、入力部２１から入力された設定値によって、テーブル２３に格納されている設定値を変更するように構成したが、所定の操作、例えば暗証番号の入力などがなされた場合にのみ、入力部２１から入力された設定値によって、テーブル２３に格納されている設定値を変更するように構成できる。この構成により、テーブル２３の内容が無制限に変更されるのを防止し、例えばディーラーのみが変更できるようにすることができる。
【符号の説明】
【００４１】
１  ドライブ、１ａ  記録媒体、２  ＧＰＳ受信機、３  ジャイロ、４  車速センサ、５  操作部、６  通信機器、７  インタフェース回路、８  ＥＣＵ、９  メモリ、１０  ディスプレイ、１１  スピーカ、２１  入力部、２２  通信部、２３  テーブル、２４  操作メニュー変更部、２５  移動状態判断部、２６  表示切替部。
【図１】
2010261887.tif 000003
【図２】
2010261887.tif 000004
【図３】
2010261887.tif 000005
【図４】
2010261887.tif 000006
【図５】
2010261887.tif 000007
【図６】
2010261887.tif 000008
【図７】
2010261887.tif 000009
【図８】
2010261887.tif 000010
【図９】
2010261887.tif 000011